(57)【特許請求の範囲】
【請求項１】
ネットワーク網から現用ポートを介してパケットを受信する第１ステップと、
該受信したパケットをバッファリングする第２ステップと、
該現用ポートに障害が発生したことを検出したとき、該バッファリングを停止する第３ステップと、
該障害発生時点迄にバッファリングした該パケットの内の少なくとも所定範囲のパケットを、予備ポートを介して外部装置に送出する第４ステップと、
を備えたことを特徴とするパケット再送方法。
【請求項２】
請求項１において、
該第３ステップが、該バッファリングの停止と共に該外部装置に障害発生通知を送信するステップを含み、
該第４ステップが、該障害発生通知を受けた該外部装置から発生されたパケット再送設定コマンドに基づいて実行されることを特徴としたパケット再送方法。
【請求項３】
請求項２において、
該パケット再送設定コマンドが、該所定範囲を指定するものであることを特徴としたパケット再送方法。
【請求項４】
ネットワーク網から現用ポートを介してパケットを受信する第１手段と、
該受信したパケットをバッファリングする第２手段と、
該現用ポートに障害が発生したことを検出したとき、該バッファリングを停止する第３手段と、
該障害発生時点迄にバッファリングした該パケットの内の少なくとも所定範囲のパケットを、予備ポートを介して外部装置に送出する第４手段と、
を備えたことを特徴とするパケット再送装置。
【請求項５】
請求項４において、
該第３手段が、該バッファリングの停止と共に該外部装置に障害発生通知を送信する手段を含み、
該第４手段が、該障害発生通知を受けた該外部装置から発生されたパケット再送設定コマンドに基づいて実行されることを特徴としたパケット再送装置。
【発明の詳細な説明】
【技術分野】
【０００１】
本発明は、パケット再送方法及び装置に関し、特にネットワーク網内の伝送装置において発生する障害に対して、バッファリングした送受信パケットを用いてその再送を行うパケット再送方法及び装置に関するものである。
【背景技術】
【０００２】
上記のようなパケット再送技術としては、従来より、以下に説明する従来例[1]及び[2]によるものが挙げられる。
【０００３】
従来例[1]：(図示せず)
従来の伝送装置においては、送受信パケットをリアルタイムで再送するポートミラーリング機能が搭載されている。
【０００４】
しかしながら、ポートミラーリング機能はあくまでリアルタイムに送受信パケットを再送して監視することしかできず、その結果、伝送装置において障害が発生したことを検出可能であるが、障害原因を特定することは非常に困難である。
【０００５】
従来例[2]：図9
上記の従来例[1]の問題に対処するため、LAN障害監視装置を用いたパケット再送技術が既に提案されている。
【０００６】
図9(1)及び(2)は、共にネットワーク網NWに接続される例えば２つの伝送装置101及び102(以下、符号100で総称することがある。)と、ネットワーク網NW上に送出される全パケットを受信してネットワーク(LAN)障害の発生を監視するパケット再送装置としてのLAN障害監視装置400とで構成されるLAN障害監視システムを示している。このLAN障害監視装置400は、その内部にパケットの送受信を制御する第1LAN送受信制御装置410及び第2LAN送受信制御装置420と、プロセッサCPUと、メモリMEMとを備え、また、外部にはモニタ500と、測定器600が接続されている。
【０００７】
このLAN障害監視システムが通常に動作しているとき、LAN障害監視装置400では、同図(1)に示すように、伝送装置101及び102からネットワーク網NW上に送出される全パケットを受信(a)すると共に、第１LAN送受信制御装置410が内部のメモリMEMに受信したパケットをバッファリング(b)している。
【０００８】
一方、同図(2)に示すように、例えば伝送装置101で障害が発生(c)したとき、伝送装置101は障害発生通知(d)をネットワーク網NW上に送出し、これをLAN障害監視装置400が受信する。この障害発生通知(d)が第1LAN送受信制御装置410を介してプロセッサCPUで検知されると、プロセッサCPUは第1LAN送受信制御装置410に対して受信パケットのバッファリング停止(e)を指示すると共に、バッファリングしたデータの読出(f)を行う。
【０００９】
読み出したデータを、例えば、外部に接続されるモニタ500に表示(g)するか、又は測定器600にロード(h)することにより、障害原因の解析に利用している(例えば、特許文献1参照。)。
【特許文献１】特開平6-132960号公報
【発明の開示】
【発明が解決しようとする課題】
【００１０】
上記の特許文献1は、或る伝送装置の障害発生時点迄にバッファリングした受信パケットの読出が可能であるが、LAN障害監視装置等の特殊な装置を用い、且つ必要に応じてその内容を保守者が外部のモニタを見ながら全て確認するか、又は、実際に外部の測定器に受信パケットをロードしなければならない。
【００１１】
さらに、障害が伝送装置のポートに発生した場合には、障害発生通知がLAN障害監視装置で正常に受信できないため、障害原因を特定するために供される受信パケットの範囲を正しく指定できないという課題がある。
【００１２】
従って、本発明は、ネットワーク網内の伝送装置において、特にポート障害が発生したとき、その障害原因を特定するためにLAN障害監視装置等の特殊な装置に依らずに自分自身でパケットを再送することが可能な方法及び装置を提供することを目的とする。
【課題を解決するための手段】
【００１３】
[1]上記の目的を達成するため、本発明に係るパケット再送方法(又は装置)は、ネットワーク網から現用ポートを介してパケットを受信する第１ステップ(又は手段)と、該受信したパケットをバッファリングする第２ステップ(又は手段)と、該現用ポートに障害が発生したことを検出したとき、該バッファリングを停止する第３ステップ(又は手段)と、該障害発生時点迄にバッファリングした該パケットの内の少なくとも所定範囲のパケットを、予備ポートを介して該外部装置に送出する第４ステップ(又は手段)とを備えたことを特徴とする。
【００１４】
これを、図1に示す本発明の動作原理を用いて説明すると、本発明に係るパケット再送方法(又は装置)は、ネットワーク網NW内の伝送装置101及び102の各々において実現されている(但し、これに限定されるものではない。)。例えば伝送装置101(伝送装置102についても同様。)が正常に動作しているとき、同図(1)に示すように、第１ステップ(又は手段)では、ネットワーク網NWからラインインタフェース部111の現用ポート201Wを介してパケットを受信(a)する。そして、第２ステップ(又は手段)では、受信したパケットを内部のメモリMEMにバッファリング(b)する。
【００１５】
一方、同図(2)に示すように、例えば伝送装置101の現用ポート201Wに障害が発生(c)したとき、第３ステップ(又は手段)では、受信パケットのバッファリングを停止(d)させる。そして、第４ステップ(又は手段)では、障害発生時点迄にバッファリングしたパケットの内の少なくとも所定範囲のパケットを、予備ポート201Pを介して外部装置である保守者端末300に送出(e)する。
【００１６】
なお、以下の説明においては、現用ポート201W及び予備ポート201Pを符号201で総称することがある。
【００１７】
このように、本発明のパケット再送方法(及び装置)においては、ネットワーク網NW内の伝送装置101及び102においてポート障害が発生したとき、その障害原因を特定するために、図9に示したLAN障害監視装置400のような特殊な装置を用いずに自分自身でパケットを外部装置に再送することが可能となる。
【００１８】
[2]また、上記[1]において、該第３ステップ(又は手段)が、該バッファリングの停止と共に該外部装置に障害発生通知を送信するステップを含み、該第４ステップ(又は手段)が、該障害発生通知を受けた該外部装置から発生されたパケット再送設定コマンドに基づいて実行されるようにしても良い。
【００１９】
すなわち、図1(2)に示すように、伝送装置101(伝送装置102についても同様。)の該第３ステップ(又は手段)では、バッファリング停止(d)と共に、外部装置である保守者端末300に障害発生通知(f)を送信する。この障害発生通知(f)を受けた保守者端末300は、伝送装置101に対し、その予備ポート201Pを介してパケットを再送するように指示するパケット再送設定コマンド(g)を送信する。
【００２０】
そして、該第４ステップ(又は手段)では、パケット再送設定コマンド(g)を受け付けたタイミングで上記所定範囲のパケットを予備ポート201Pを介して保守者端末300に送出(e)する。
【００２１】
このように、保守者端末300のような外部装置からは、例えば障害原因の調査及び解析準備が完了した後、任意のタイミングで調査・解析用の受信パケットの再送を指示できる。
【００２２】
[3]また、上記[2]において、該パケット再送設定コマンドが、該所定範囲を指定するものであっても良い。
【００２３】
この場合、保守者端末300のような外部装置からは、例えば以下の(A)〜(C)に示す範囲をパケット再送設定コマンド(g)にて指定できるため、保守者は、障害原因の調査及び解析において、任意の範囲の調査・解析用の受信パケットを取得することができる。
【００２４】
(A) バッファリング開始から障害発生時点迄の全受信パケット。
【００２５】
(B) バッファリング開始から障害発生時点迄の一部の受信パケット。例えば、障害発生時点(バッファリング停止時点)の受信パケットを基点として、X番目からY番目(X及びYは、任意の自然数)の受信パケット等。
【００２６】
(C) バッファリング開始から障害発生時点迄の単一の受信パケット。例えば、障害発生時点(バッファリング停止時点)の受信パケットを基点として、X番目の1個の受信パケット等。
【００２７】
[4]また、上記[2]において、該外部装置が、該予備ポートに予め接続された保守者端末でも良い。
【００２８】
すなわち、例えば図9に示した従来例において、保守者が伝送装置101で発生した障害の原因を受信パケットから特定するためには、ネットワーク網NW上に送出される全受信パケットをバッファリングするLAN障害監視装置400を追設し、さらに外部のモニタ500に表示する必要があったが、本発明においては、図1に示すように、保守者端末300からのパケット再送設定コマンド(g)により、障害が発生した伝送装置101から保守者端末300に対して直接パケットを送出できるため、保守者は、障害原因の調査及び解析において、容易に受信パケットを取得して、その内容を調査・解析することができる。
【００２９】
[5]また、上記[4]において、該予備ポートが複数のポートを含んでおり、該パケット再送設定コマンドが、該所定範囲のパケットを、該予備ポートの内の該保守者端末に接続されたポートとは別のポートを介して該保守者端末とは別の外部装置に送出することを指示するものであっても良い。
【００３０】
すなわち、例えば図9に示した従来例において、再現試験の実施により伝送装置101で発生した障害の原因を特定するためには、ネットワーク網NW内に追設したLAN障害監視装置400を用いてバッファリングした受信パケットを、一旦外部の測定器600にロードし、さらに別の外部装置である伝送装置に送信する必要があったが、本発明においては、図1に示すように、保守者端末300からのパケット再送設定コマンド(g)により、障害が発生した伝送装置101から予備ポート201Pとは別の予備ポート(図示せず)を介して保守者端末300とは別の伝送装置(図示せず)に対して直接パケットを送出できるため、保守者は、再現試験の実施において、該別の伝送装置で伝送装置101と同様に障害が発生するか否かをやはりポート障害検知等により判定することで、障害原因が伝送装置101が受信したパケットであるか否かを即座に特定することができる。
【発明の効果】
【００３１】
本発明によれば、ネットワーク網内の伝送装置等において、特にポート障害が発生したとき、その障害原因を特定するためにLAN障害監視装置等の特殊な装置を必要とせずに且つ障害に影響されずに受信パケットを正しくバッファリングして自分自身でパケットを再送することができ、以て障害原因の解析効率を向上させることができる。
【００３２】
さらに、パケット再送設定コマンドに基づいてパケットの再送タイミング、再送範囲、及びその送出先を指示できるようにしたので、保守者は、障害原因の調査及び解析においては、受信パケットを適切且つ容易に取得して調査・解析でき、また、再現試験の実施においては、別の伝送装置に直接パケットを再送して障害要因が受信パケットであるか否かを即座に特定でき、以て保守者の障害原因の解析及び再現試験の実施の利便性及び作業効率の向上を図ることができる。
【発明を実施するための最良の形態】
【００３３】
本発明に係るパケット再生方法及び装置は、図1について説明した通り、伝送装置101及び102の各々において実現されており、その実施例及びパケット再送動作例を、図2〜8を参照して以下に説明する。但し、本発明は伝送装置に限定されるものではない。
【００３４】
[1]構成実施例：図2
まず、本実施例の構成について、図2を参照して以下に説明する。
【００３５】
図2に示す伝送装置100は、図1で示した伝送装置101と同様に、パケットの送受信を行うラインインタフェース部110と、内部のメモリMEMと、プロセッサCPUとを備えており、これらに加えラインインタフェース部110の制御を行う制御部150をさらに備えている。また、ラインインタフェース部110、メモリMEM、プロセッサCPU、及び制御部150は、共通バスBUSにより互いに接続される構成としている。
【００３６】
ここで、ラインインタフェース部110は、さらに、例えば現用ポート200Wとしてのポート200_1及び200_2並びに予備ポート200Pとしてのポート200_3〜200_6を含むポート200、このポート200を介して送信パケットSND_PCKT及び受信パケットRCV_PCKTの送受信を行う送受信部120、受信パケットRCV_PCKTをメモリMEMにバッファリングするバッファリング処理部130、及びバッファリングしたパケットをメモリMEMから取り出し送受信部120及び予備ポート200Pを介してその再送を行う再送処理部140を備えている。
【００３７】
また、制御部150は、さらに、現用ポート200Wの障害発生を検出する障害検出部160、ラインインタフェース部110を制御するラインインタフェース制御部170、外部装置(図示せず)からのパケット再送設定コマンドを受け付けるコマンド受付部180、及びパケット再送設定コマンドに対応した制御指示をラインインタフェース部110に対して行うコマンド処理部190を備えている。
【００３８】
[2]動作実施例：図3〜8
次に、図2の実施例の動作ついて、図3〜8を参照して以下に説明する。
【００３９】
ここで、図3は、図2に示した伝送装置100の全体動作を具体的に示すフローチャート図であり、同図の点線(1)で示す処理(ステップS1〜S9)及び点線(2)で示す処理(ステップS1〜S5及びS10,11並びにS20)は、それぞれ、以下に説明するパケット再送処理(1)及び(2)を示している。
【００４０】
なお、パケット再送方法は種々考えられるため、その方法は特に以下の動作例に限定されるものではない。
【００４１】
[2.1]パケット再送処理例(1)：図3,4
図4は、図2に示した伝送装置100の内、制御部150に設けられたラインインタフェース制御部170と、ラインインタフェース部110に設けられたバッファリング処理部130及び再送処理部140並びにポート200_1〜200_6と、メモリMEMの接続関係をより具体的に示したものであり、現用ポート200Wとしてのポート200_1及び200_2を介してネットワーク網NWから受信パケットRCV_PCKTを取り込み、予備ポート200Pとしてのポート200_3〜200_6の内、所定のポート200_6に予め保守者端末300が接続されている例を示している。
【００４２】
なお、この図4においては、図を簡略化するため、図2に示した送受信部120、障害検出部160、コマンド受付部180、コマンド処理部190、及びプロセッサCPUの記載を省略している。
【００４３】
まず、伝送装置100が正常に動作している場合、すなわち現用ポート200Wに障害が発生していない場合、図3に示すステップS1では、送受信部120が現用ポート200Wを介してパケットの受信を行うと共に、バッファリング処理部130が受信パケットRCV_PCKTをメモリMEMへバッファリングする(ステップS2)。今、ポート障害は発生していないとすると、障害検出部160は障害を検出せず(ステップS3)にステップS1及びS2を繰り返し、パケットの受信毎にそのバッファリングを行う。
【００４４】
一方、障害検出部160が、図4に示す現用ポート200Wの内のポート200_1の障害発生(図4 (a))を検出した場合(ステップS3)は、ラインインタフェース制御部170がバッファリング処理部130に対してバッファリング停止指示(図4(b))を行い(ステップS4)、バッファリング処理部130が実際にパケットのバッファリングを停止(図4 (c))する(ステップS5)。
【００４５】
その後、ラインインタフェース制御部170は、パケット再送設定コマンド機能が無効であるか、すなわち、保守者端末300から発生されるパケット再送設定コマンドによるパケット再送範囲及びその送出予備ポートの指定が無効であるか否かを判定し(ステップS6)、無効である場合は、ラインインタフェース制御部170が再送処理部140に対してポート200_6からパケットが再送されるようパケット送信設定(図4(d)) を依頼する(ステップS7)と共に、所定範囲のパケットの再送を指示(図4 (e))する(ステップS8)。
【００４６】
そして、再送処理部140は、メモリMEMにバッファリングしたパケットの内、所定範囲のパケットの読出(図4(f))を行うと共に、送受信部120及びポート200_6を介して保守者端末300に読み出したパケットを再送(図4 (g))する(ステップS9)。
【００４７】
[2.1.1]保守者端末の処理フロー例：図5
保守者端末300では、図5に示すように、伝送装置100から再送されたパケットを受信して(ステップS31)、受信したパケットの調査及び解析を行う(ステップS32)。
【００４８】
そして、障害原因が受信パケットであると特定できた場合は(ステップS33)、障害原因であるパケットの送信元伝送装置、すなわち、伝送装置100に対してそのパケットを送信した伝送装置の稼動を停止する(ステップS34)。なお、この保守者端末300とのやり取りは、TRAP技術を用いて実行することができる。
【００４９】
[2.2]パケット再送処理例(2)：図3,6,7
図6は、図4に示した接続関係に加えて、さらに保守者端末300とは別の外部装置である伝送装置103の現用ポート203Wをネットワーク網NWに接続した例を示している。
【００５０】
なお、この伝送装置103は、本発明に係るパケット再生方法及び装置が実現されていないものでも良い。
【００５１】
まず、図3に示すステップS1〜S5の処理及び図4に示す(a)〜(c)は、上記パケット再送処理例(1)と同様である。ステップS6において、パケット再送設定コマンド機能が有効であると判定した場合、送受信部120が所定の予備ポート200_6を介して保守者端末300に障害発生通知を送信すると共に、図7に示すパケット再送設定処理(ステップS20)を実行する。
【００５２】
このパケット再送設定処理では、伝送装置100は、障害発生通知に応答して保守者端末300からパケット再送範囲及びその送出予備ポートを指示したパケット再送設定コマンド(図1(2)の点線(g))の受信待ちを行う(ステップS21)。パケット再送設定コマンドを受信できない場合はその受信待ちを続けるが、受信した場合は(ステップS22)、コマンド受付部180でパケット再送設定コマンドを受け付けると共に、コマンド処理部190に対して、対応する処理を依頼し(ステップS23)、さらにコマンド処理部190が、ラインインタフェース制御部170に制御指示を与える(ステップS24)。
【００５３】
上記パケット再送設定コマンドにより、例えばバッファリング開始から障害発生時点迄の全受信パケットを、ポート200_6とは別の予備ポート200_5を介して伝送装置103に再送するよう指示を受けた場合、ラインインタフェース制御部170は、再送処理部140に対してポート200_5からパケットが伝送装置103に再送されるよう宛先アドレス等のパケット送信設定(図6(d))を依頼する(ステップS25)と共に、指定範囲のパケットの再送を指示(同図(e))する(ステップS26)。
【００５４】
その後、図3に示すステップS11では、再送処理部140が、メモリMEMにバッファリングした指定範囲の全受信パケットの読出(図6 (f))を行うと共に、送受信部120及びポート200_5を介して読み出したパケットを伝送装置103に例えばコネクションレスで再送(図6(g))する。
【００５５】
なお、この例では、伝送装置100の予備ポート200_5及び伝送装置103の現用ポート203Wを、それぞれネットワーク網NWに接続し、コネクションレスでパケットの再送を行うようにしたが、保守者端末300と同様に、伝送装置100の予備ポート200_5と伝送装置103の現用ポート203Wとを直接接続してパケットの再送を行っても良いことは言うまでもない。
【００５６】
[2.2.1]対向伝送装置の処理フロー例：図8
伝送装置103では、図8に示すように、伝送装置100から再送されたパケットを受信する(ステップS41)。そして、受信したパケットによって、伝送装置100と同様にポート障害が発生した場合は(ステップS42)、障害原因は受信パケットにあると即座に特定することができる(ステップS43)ため、保守者は解析の対象を受信パケットのみに絞って障害復旧作業を継続することができる。
【００５７】
また、伝送装置103においてポート障害が発生しない場合は(ステップS42)、障害要因が受信パケットではないと判明する(ステップS43)ため、保守者は解析の対象を受信パケット以外に絞って障害復旧作業を継続することができる。
【００５８】
なお、上記実施例によって本発明は限定されるものではなく、特許請求の範囲の記載に基づき、当業者によって種々の変更が可能なことは明らかである。
【００５９】
（付記１）
ネットワーク網から現用ポートを介してパケットを受信する第１ステップと、
該受信したパケットをバッファリングする第２ステップと、
該現用ポートに障害が発生したことを検出したとき、該バッファリングを停止する第３ステップと、
該障害発生時点迄にバッファリングした該パケットの内の少なくとも所定範囲のパケットを、予備ポートを介して外部装置に送出する第４ステップと、
を備えたことを特徴とするパケット再送方法。
（付記２）付記１において、
該第３ステップが、該バッファリングの停止と共に該外部装置に障害発生通知を送信するステップを含み、
該第４ステップが、該障害発生通知を受けた該外部装置から発生されたパケット再送設定コマンドに基づいて実行されることを特徴としたパケット再送方法。
（付記３）付記２において、
該パケット再送設定コマンドが、該所定範囲を指定するものであることを特徴としたパケット再送方法。
（付記４）付記２において、
該外部装置が、該予備ポートに予め接続された保守者端末であることを特徴としたパケット再送方法。
（付記５）付記４において、
該予備ポートが複数のポートを含んでおり、該パケット再送設定コマンドが、該所定範囲のパケットを、該予備ポートの内の該保守者端末に接続されたポートとは別のポートを介して該保守者端末とは別の外部装置に送出することを指示するものであることを特徴としたパケット再送方法。
（付記６）
ネットワーク網から現用ポートを介してパケットを受信する第１手段と、
該受信したパケットをバッファリングする第２手段と、
該現用ポートに障害が発生したことを検出したとき、該バッファリングを停止する第３手段と、
該障害発生時点迄にバッファリングした該パケットの内の少なくとも所定範囲のパケットを、予備ポートを介して外部装置に送出する第４手段と、
を備えたことを特徴とするパケット再送装置。
（付記７）付記６において、
該第３手段が、該バッファリングの停止と共に該外部装置に障害発生通知を送信する手段を含み、
該第４手段が、該障害発生通知を受けた該外部装置から発生されたパケット再送設定コマンドに基づいて実行されることを特徴としたパケット再送装置。
（付記８）付記７において、
該パケット再送設定コマンドが、該所定範囲を指定するものであることを特徴としたパケット再送装置。
（付記９）付記７において、
該外部装置が、該予備ポートに予め接続された保守者端末であることを特徴としたパケット再送装置。
（付記１０）付記９において、
該予備ポートが複数のポートを含んでおり、該パケット再送設定コマンドが、該所定範囲のパケットを、該予備ポートの内の該保守者端末に接続されたポートとは別のポートを介して該保守者端末とは別の外部装置に送出することを指示するものであることを特徴としたパケット再送装置。
【図面の簡単な説明】
【００６０】
【図１】本発明に係るパケット再生方法及び装置の動作原理を示したブロック図である。
【図２】本発明に係るパケット再生方法及び装置の構成実施例を示したブロック図である。
【図３】本発明に係るパケット再生方法及び装置の全体動作実施例を示したフローチャート図である。
【図４】本発明に係るパケット再生方法及び装置のパケット再送処理例(1)を示したブロック図である。
【図５】本発明に係るパケット再生方法及び装置における保守者端末の処理フローを示すフローチャート図である。
【図６】本発明に係るパケット再生方法及び装置のパケット再送処理例(2)を示したブロック図である。
【図７】本発明に係るパケット再送設定処理の実施例を示したフローチャート図である。
【図８】本発明に係るパケット再生方法及び装置における対向伝送装置の処理フローを示すフローチャート図である。
【図９】パケット再送技術の従来例[2]を示すブロック図である。
【符号の説明】
【００６１】
100, 101〜103  伝送装置
110, 111  ラインインタフェース部
120  送受信部
130  バッファリング処理部
140  再送処理部
150  制御部
160  障害検出部
170  ラインインタフェース制御部
180  コマンド受付部
190  コマンド処理部
200W, 201W, 203W  現用ポート
200P, 201P  予備ポート
200, 200_1〜200_6, 201  ポート
300  保守者端末
400  LAN障害監視装置
410  第1LAN送受信制御装置
420  第2LAN送受信制御装置
500  モニタ
600  測定器
NW  ネットワーク網
CPU  プロセッサ
MEM  メモリ
BUS  共通バス
RCV_PCKT  受信パケット
SND_PCKT  送信パケット
図中、同一符号は同一又は相当部分を示す。
【図１】
0004509013.tif 000002
【図２】
0004509013.tif 000003
【図３】
0004509013.tif 000004
【図４】
0004509013.tif 000005
【図５】
0004509013.tif 000006
【図６】
0004509013.tif 000007
【図７】
0004509013.tif 000008
【図８】
0004509013.tif 000009
【図９】
0004509013.tif 000010